(57)【要約】【課題】簡単な構造で、モジュールサイズの異なる集合住宅用ポストの前面と宅配ボックスの前面とを面一に揃えて納まり及び使い勝手を良くすること。左右いずれかに発生する空きスペースを隠蔽して納まりを良くすること。【解決手段】モジュールサイズの異なる集合住宅用ポスト１と宅配ボックス２とを一体に組み合わせて施工する構造において、奥行き寸法Ａ１，Ａ２の異なる集合住宅用ポスト１の前面１ａと宅配ボックス２の前面２ａとを面一に揃えるためのスペーサ部材３を備えていると共に、該スペーサ部材３に横幅寸法Ｂ１，Ｂ２の異なる集合住宅用ポスト１或いは宅配ボックス２の左右いずれかに発生する空きスペース４を隠蔽するための幕板５を取り付け可能とした。【選択図】        図１
2004229758.tif 000002
【特許請求の範囲】
【請求項１】
モジュールサイズの異なる集合住宅用ポストと宅配ボックスとを一体に組み合わせて施工する構造において、奥行き寸法の異なる集合住宅用ポストの前面と宅配ボックスの前面とを面一に揃えるためのスペーサ部材を備えていると共に、該スペーサ部材に横幅寸法の異なる集合住宅用ポスト或いは宅配ボックスの左右いずれかに発生する空きスペースを隠蔽するための幕板を取り付け可能としたことを特徴とする集合住宅用ポストと宅配ボックスとの組合せ構造。
【請求項２】
上記スペーサ部材は、後方の壁に対して左右方向に位置調整可能に固定される壁固定片の前端部に幕板が取り付け可能とされ、集合住宅用ポストと宅配ボックスのうちの奥行き寸法が短い方の背面に当接する可動アングルが壁固定片に対して前後方向に位置調整可能に連結されて構成されていることを特徴とする請求項１記載の集合住宅用ポストと宅配ボックスとの組合せ構造。
【発明の詳細な説明】
【０００１】
【発明の属する技術分野】
本発明は、集合住宅用ポストと宅配ボックスとの組合せ構造に関し、詳しくはモジュールサイズの異なる集合住宅用ポストと宅配ボックスとを前後方向の段差や左右いずれかに発生する空きスペースを隠蔽した状態で一体に組み合わせる技術に関するものである。
【０００２】
【従来の技術】
従来より、宅配荷物受け入れ用の共同利用型宅配ボックスを横に複数並べて設置し、その上に多数の集合住宅用ポストを積み上げられる構造が知られている（例えば、特許文献１参照）。この例ではモジュールサイズの揃った集合住宅用ポストと宅配ボックスとを組み合わせて設置しているが、仮りに施工主の希望により専用品でない集合住宅用ポスト１と宅配ボックス２とを組み合わせる場合においては、図６（ｂ）に示すように、奥行き寸法Ａ１，Ａ２が異なる集合住宅用ポスト１の前面１ａと宅配ボックス２の前面２ａとの間で前後方向Ｃの段差が生じてしまい、外観上の納まりが悪いうえに、上部に位置する集合住宅用ポスト１の前面１ａが下側の宅配ボックス２の前面２ａよりも奥に入り込むことで、特に高い場所にある集合住宅用ポスト１が非常に使いづらくなるという問題がある。また図６（ａ）に示すように、横幅寸法Ｂ１，Ｂ２が異なる場合は、集合住宅用ポスト１の左右いずれかに図８に示すように空きスペース４が生じてしまい、外観上の納まりを悪くするという問題がある。図６中の２０は化粧台座である。
【０００３】
なお、従来より、収納家具と壁の間に生じた隙間を隠蔽する技術（例えば、特許文献２参照）は知られているが、上述したようなモジュールサイズの異なる集合住宅用ポストと宅配ボックスとを前後の段差や左右いずれかに発生する空きスペースを隠蔽して納まり良く組み合わせる点についての従来技術はない。
【０００４】
【特許文献１】
特開平９−１７３２０２号公報
【特許文献２】
特開２００２−２０４７３１号公報
【０００５】
【発明が解決しようとする課題】
本発明は、上記の従来例の問題点に鑑みて発明したものであって、その目的とするところは、簡単な構造で、モジュールサイズの異なる集合住宅用ポストの前面と宅配ボックスの前面とを面一に揃えることができると共に左右いずれかに発生する空きスペースを隠蔽して一体に組み合わせて施工でき、外観上の納まりを良くし且つ使い勝手を良くすることができる集合住宅用ポストと宅配ボックスとの組合せ構造を提供することにある。
【０００６】
【課題を解決するための手段】
上記課題を解決するために本発明にあっては、モジュールサイズの異なる集合住宅用ポスト１と宅配ボックス２とを一体に組み合わせて施工する構造において、奥行き寸法Ａ１，Ａ２の異なる集合住宅用ポスト１の前面１ａと宅配ボックス２の前面２ａとを面一に揃えるためのスペーサ部材３を備えていると共に、該スペーサ部材３に横幅寸法Ｂ１，Ｂ２の異なる集合住宅用ポスト１或いは宅配ボックス２の左右いずれかに発生する空きスペース４を隠蔽するための幕板５を取り付け可能としたことを特徴としており、このように構成することで、スペーサ部材３を用いて奥行き寸法Ａ１，Ａ２の異なる集合住宅用ポスト１の前面１ａと宅配ボックス２の前面２ａとを面一に揃えることができ、集合住宅用ポスト１及び宅配ボックス２を納まり良く施工できると共に、宅配ボックス２の上に集合住宅用ポスト１が積み上げられる場合でもボストの使い勝手が非常に良くなる。さらに左右いずれかに空きスペース４が生じてもこれを幕板５で隠蔽できるようになり、且つスペーサ部材３を利用して幕板５が取り付けられるので、幕板５を取り付けるための専用の部材が不要となる。
【０００７】
また上記スペーサ部材３は、後方の壁１１に対して左右方向Ｄに位置調整可能に固定される壁固定片７の前端部７ｃに幕板５が取り付け可能とされ、集合住宅用ポスト１と宅配ボックス２のうちの奥行き寸法Ａ１又はＡ２が短い方の背面に当接する可動アングル６が壁固定片７に対して前後方向Ｃに位置調整可能に連結されて構成されているのが好ましく、この場合、スペーサ部材３の壁固定片７に対して可動アングル６を前後方向Ｃに位置調整することで、奥行き寸法の異なる複数種類の集合住宅用ポスト１或いは宅配ボックス２を使い分ける場合にも十分に対応できるものとなり、また壁固定片７を壁１１に対して左右方向Ｄに位置調整することで、壁固定片７に取り付けられる幕板５の位置調整が容易となり、空きスペース４を幕板５にて完全に隠蔽可能となる。
【０００８】
【発明の実施の形態】
以下、本発明を添付図面に示す実施形態に基づいて説明する。
【０００９】
モジュールサイズの異なる集合住宅用ポスト１と宅配ボックス２とを一体に組み合わせて施工するにあたって、本例では図１に示すように、台座１２の上に宅配ボックス２が左右方向Ｄに並べて複数設置され、その上に郵便物受け入れ用の多数の集合住宅用ポスト１が積み上げられている。また最も右端に位置する宅配ボックス２は上下方向に長い長尺型宅配ボックス２Ａとされ、この長尺型宅配ボックス２Ａの上面２ｂは集合住宅用ポスト１の上面１ａと面一に揃えられている。また本例では集合住宅用ポスト１は、集合住宅の所帯数と同数（図１の例では縦６個、横４列で計２４個）設置されるが、宅配荷物の受け入れ用の宅配ボックス２は、集合住宅用ポスト１と比較して大型であり、共同利用型とするために集合住宅用ポスト１よりも少ない数（図１の例では５個）で設置される。一般に宅配ボックス２は、前扉１３と後扉（図示せず）とを備えた前入れ後出しタイプと、前扉１３のみを備えた前入れ前出しタイプとの２種類があるが、その種類は特に問わない。
【００１０】
ここで、図１に示す最も左端に位置する宅配ボックス２の上には、宅配ボックス２と集合住宅用ポスト１との横幅寸法Ｂ１，Ｂ２（本例ではＢ１＞Ｂ２）が異なることによって空きスペース４が生じているが、この空きスペース４は幕板５で隠蔽されるようになっている。幕板５は図２に示す前面板５ａと側面板５ｂとで平面視Ｌ字形に一体形成され、板金材或いは樹脂板等で構成されている。
【００１１】
上記集合住宅用ポスト１の背後には、図２、図３に示すように、奥行き寸法Ａ１，Ａ２（本例ではＡ１＜Ａ２）の異なる集合住宅用ポスト１の前面１ａと宅配ボックス２の前面２ａとを面一に揃えるためのスペーサ部材３が配置されている。スペーサ部材３は本例では幕板５側に配置される第１スペーサ部材３Ａと、長尺型宅配ボックス２Ａ側に配置される第２スペーサ部材３Ｂとからなり、板金材或いは押出形材等で形成されている。
【００１２】
第１及び第２スペーサ部材３Ａ，３Ｂの共通点を説明する。図２、図４、図５に示すように、各スペーサ部材３Ａ，３Ｂは、後方の壁１１に対して左右方向Ｄに位置調整可能に固定される壁固定片７と、集合住宅用ポスト１の背面に当接すると共に壁固定片７に対して前後方向Ｃに位置調整可能に連結された可動アングル６とで構成されている。壁固定片７の側面７ｂにはネジ孔２１（図５）が形成され、可動アングル６の壁固定片７の側面７ｂとの対向面には前後方向Ｃに長い長孔２２（図４、図５）が形成され、長孔２２からネジ孔２１に挿入される連結具８であるネジ８ａを緩めた状態で可動アングル６を長孔２２に沿って前後方向Ｃに移動させることで、可動アングル６の位置が前後方向Ｃに微調整可能となり、ネジ８ａを締め付けることで可動アングル６を壁固定片７に対して本固定できるようになっている。また、壁固定片７の後端部７ａにはアンカーボルト２５が挿入される左右方向Ｄに長い長孔２４が形成されており、アンカーボルト２５を長孔２４から壁１１に仮打入した状態で壁固定片７を壁１１に沿って左右方向Ｄに移動させることで、壁固定片７の位置が微調整可能となっている。
【００１３】
第１及び第２スペーサ部材３Ａ，３Ｂの異なる点を説明する。第１スペーサ部材３Ａの壁固定片７の前端部７ｃには図４に示すネジ孔５０が形成され、ネジ９を幕板５の前面板５ａのネジ孔５１を通してネジ孔５０に螺合することで、壁固定片７の前端部７ｃに対して幕板５が取り付けられ、このとき上述のように第１スペーサ部材３Ａの壁固定片７の位置を左右方向Ｃに微調整することで、幕板５の取り付け位置が左右方向Ｄに微調整可能となっている。一方、第２スペーサ部材３Ｂにおける壁固定片７の前端部７ｃは図１、図２に示すように、長尺型宅配ボックス２Ａとこれに隣接する宅配ボックス２との隙間に挿入されるようになっている。
【００１４】
次に施工手順の一例を説明すると、先ず台座１２の上に宅配ボックス２を左右方向Ｄに並べて設置し、次に、第２スペーサ部材３Ｂの壁固定片７をアンカーボルト２５にて壁１１に固定し、この壁固定片７の側面７ｂに可動アングル６を集合住宅用ポスト１の奥行き寸法Ａ１に合うように前後位置調整して固定する。次に第１スペーサ部材３Ａの壁固定片７を最も左端の集合住宅用ポスト１の外側面に合うように左右位置調整して壁１１に固定し、この壁固定片７の側面７ｂに可動アングル６を集合住宅用ポスト１の奥行き寸法Ａ１に合うように前後位置調整して固定する。その後、多数の集合住宅用ポスト１を宅配ボックス２の上に積み上げて設置する。このとき図２に示すように、左右に隣り合う集合住宅用ポスト１同士を互いにネジ９ａにて固定すると共に、左右両サイドに位置する集合住宅用ポスト１を壁固定片７の側面７ｂにネジ９ｂにて固定する。最後に、図１に示すように、集合住宅用ポスト１の左サイドに発生する空きスペース４を幕板５で隠蔽した状態で幕板５を第１スペーサ部材３Ａの壁固定片７の前端部７ｃにネジ９にて固定する。このとき幕板５の側面板が最も左端に位置する宅配ボックス２の左側面と面一に揃えられ、幕板５の上端が集合住宅用ポスト１の上面１ａと面一に揃えられた状態となる。
【００１５】
しかして、スペーサ部材３を用いて、奥行き寸法Ａ１，Ａ２の異なる集合住宅用ポスト１の前面１ａと宅配ボックス２の前面２ａとを面一に揃えることができるようになり、しかもスペーサ部材３は集合住宅用ポスト１の背後側に隠れて外側から見えないため、集合住宅用ポスト１及び宅配ボックス２を納まり良く施工できると共に、宅配ボックス２の上に積み上げられる集合住宅用ポスト１の使い勝手が非常に良くなる。また、集合住宅用ポスト１の左側に発生する空きスペース４を幕板５で隠蔽できるので、外観上の納まりが一層良くなる。しかもスペーサ部材３Ａを利用して幕板５を取り付けることができるので、幕板５を取り付けるための専用の部材が不要となり、部品点数の増加を防止できるようになる。
【００１６】
また、スペーサ部材３の壁固定片７に対して可動アングル６を前後方向Ｃに位置調整することで、奥行き寸法の異なる複数種類の集合住宅用ポスト１（或いは宅配ボックス２）を使い分ける場合にも十分に対応できるものとなる。また、壁固定片７を壁１１に対して左右方向Ｄに位置調整することで、壁固定片７に取り付けられる幕板５の位置調整が可能となり、現場施工性が大幅に向上する。しかも可動アングル６に長孔を設けるだけの簡単な構造で、可動アングル６を壁固定片７に対して前後方向Ｃに微調整でき、これに伴い壁固定片７に取り付けられる幕板５の位置調整が容易となり、空きスペース４を幕板５にて完全に隠蔽可能となり、施工性が向上する。そのうえ、壁固定片７の後端部７ａに長孔２４を設けるだけの簡単な構造で、壁固定片７を左右方向Ｄに微調整できるので、スペーサ部材３の構造の簡素化及び位置調整作業の簡略化を図ることができるという利点もある。
【００１７】
本発明に係る集合住宅用ポスト１と宅配ボックス２との組合せ構造は、宅配ボックス２の上に集合住宅用ポスト１を積み上げられた場合に限らず、集合住宅用ポスト１の上に宅配ボックス２を積み上げた場合にも適用できるものである。また、集合住宅用ポスト１の奥行き寸法Ａ１を宅配ボックス２よりも短い場合に限らず、集合住宅用ポスト１の奥行き寸法Ａ１が宅配ボックス２よりも長い場合にも適用できるものである。つまり、宅配ボックス２の背面に可動アングル６を当接させるようにしてスペーサ部材３を配置すればよい。さらに集合住宅用ポスト１の左右いずれかに発生する空きスペース４を幕板５にて隠蔽する場合を例示したが、宅配ボックス２の左右いずれかに空きスペース４が発生するときはこの空きスペース４を幕板５にて隠蔽すればよい。
【００１８】
【発明の効果】
上述のように請求項１記載の発明にあっては、モジュールサイズの異なる集合住宅用ポストと宅配ボックスとを一体に組み合わせて施工する構造において、奥行き寸法の異なる集合住宅用ポストの前面と宅配ボックスの前面とを面一に揃えるためのスペーサ部材を備えていると共に、該スペーサ部材に横幅寸法の異なる集合住宅用ポスト或いは宅配ボックスの左右いずれかに発生する空きスペースを隠蔽するための幕板を取り付け可能としたので、スペーサ部材を用いて奥行き寸法の異なる集合住宅用ポストの前面と宅配ボックスの前面とを面一に揃えることができ、集合住宅用ポスト及び宅配ボックスを納まり良く施工できると共に、宅配ボックスの上に集合住宅用ポストが積み上げられる場合でもボストの使い勝手が非常に良くなる。さらに、左右いずれかに空きスペースが生じてもこれを幕板で隠蔽できるので、外観上の納まりが一層良くなると共に、スペーサ部材を利用して幕板を取り付けることで、幕板を取り付けるための専用の部材が不要となり、部品点数の増加を防止できるものである。
【００１９】
また請求項２記載の発明は、請求項１記載の効果に加えて、上記スペーサ部材は、後方の壁に対して左右方向に位置調整可能に固定される壁固定片の前端部に幕板が取り付け可能とされ、集合住宅用ポストと宅配ボックスのうちの奥行き寸法が短い方の背面に当接する可動アングルが壁固定片に対して前後方向に位置調整可能に連結されて構成されているので、スペーサ部材の壁固定片に対して可動アングルを前後方向に位置調整することで、奥行き寸法の異なる複数種類の集合住宅用ポスト或いは宅配ボックスを使い分ける場合にも十分に対応できるものとなり、また壁固定片を壁に対して左右方向に位置調整することで、壁固定片に取り付けられる幕板の位置調整が容易となり、空きスペースを幕板にて完全に隠蔽可能となり、現場施工性が大幅に向上する。しかも可動アングルと壁固定片とでスペーサ部材を簡易に構成できるので、スペーサ部材の構造の簡素化及び位置調整作業の簡略化を図ることができる。
【図面の簡単な説明】
【図１】本発明の実施形態の一例を示す集合住宅用ポストと宅配ボックスとの組合せ構造の一部破断した正面図である。
【図２】同上の平面図である。
【図３】図１のＨ−Ｈ線断面図である。
【図４】同上の第１スペーサ部材の一部破断した分解斜視図である。
【図５】同上の第２スペーサ部材の一部破断した分解斜視図である。
【図６】（ａ）は従来の集合住宅用ポストと宅配ボックスとの組合せ構造の正面図、（ｂ）は側面図である。
【符号の説明】
１  集合住宅用ポスト
１ａ  前面
２  宅配ボックス
２ａ  前面
３  スペーサ部材
４  空きスペース
５  幕板
６  可動アングル
７  壁固定片
８  連結具
Ａ１  集合住宅用ポストの奥行き寸法
Ａ２  宅配ボックスの奥行き寸法
Ｃ  前後方向
Ｄ  左右方向
【図１】
2004229758.tif 000003
【図２】
2004229758.tif 000004
【図３】
2004229758.tif 000005
【図４】
2004229758.tif 000006
【図５】
2004229758.tif 000007
【図６】
2004229758.tif 000008